(57)【要約】      （修正有）【課題】自分の好きな茶葉を使用し香りや濃度を調節でき、また簡単な作業を行うことで茶葉などに含まれるエキスを取り出すことができるので自分好みのお茶を、手間をかけずに作れるとともにコストの削減をする。【解決手段】予めフィルターの装着された漉し器を用いて緑茶や紅茶あるいは麦茶などの物品からエキスを抽出するものにおいて、ペットボトルの口元から前記漉し器を挿入し飲料水を差し入れたりあるいは挿入されてある飲料水に漉し器の内部に入れられた緑茶や紅茶あるいは麦茶などの物品から抽出されたエキスをペットボトルの口元から前記物品が口に入らないような手段を介して漉し器上部に取り付けられる蓋で止められながら蓋上部に開けられた開口穴から挿入された飲料水を吸飲できるようにしたペットボトル用漉し器。【選択図】図３
0003139632.tif 000002
【実用新案登録請求の範囲】
【請求項１】
予めフィルターの装着された漉し器を用いて緑茶や紅茶あるいは麦茶などの物品からエキスを抽出するものにおいて、ペットボトルの口元から前記漉し器を挿入し飲料水を差し入れたりあるいは挿入されてある飲料水に漉し器の内部に入れられた緑茶や紅茶あるいは麦茶などの物品から抽出されたエキスをペットボトルの口元から前記物品が口に入らないような手段を介して漉し器上部に取り付けられる蓋で止められながら蓋上部に開けられた開口穴から挿入された飲料水を吸飲できるようにしたことを特徴とするペットボトル用漉し器。
【考案の詳細な説明】
【技術分野】
【０００１】  本考案は、ペットボトルに差し入れたりあるいは挿入された飲料水に緑茶や紅茶あるいは麦茶などからエキスを取り出すペットボトル用漉し器に関する。
【背景技術】
【０００２】  自宅以外でお茶等を飲む場合は、お店あるいは自動販売機で購入しなければならない。飲み終えたペットボトルは利用されずにそのまま捨てられる。また自宅で作ったお茶を持ち歩く場合にはお湯を沸かしてお茶等を漉し、それをペットボトルに移し変えて持ち歩いているのをよく見かける。
なお、関連技術に下記物件がある。
【特許文献１】登録実用新案第３１２７０８５号公報
【特許文献２】登録実用新案第３０１７５３４号公報  上記特許文献１は、上部・中胴部・中胴部カバーから成り上部には取り出し取手（１）を付け、中胴部にはお茶パック挿入口（５）を設け、はみ出し防止カバーに必要に応じて連結口に２個３個と連結し使用できる樹脂製お茶パックホルダーと記載されている。
さらに特許文献２は、ペットボトル用キャップ下方に、内部に収納部を備えた多孔性カートリッジを着脱自在に固定したことを特徴とするカートリッジ付きペットボトル用キャップが記載されていた。
【考案の開示】
【考案が解決しようとする課題】
【０００３】  以上に述べた従来の自動販売機で買う場合は、自宅で作ればそんなにお金がかからないお茶等を多額な費用を出して購入するしかなかった。なかなか自分の好みのお茶を飲むこともできなかった。さらに自分の好みに合ったお茶を自宅で作って持ち歩く場合には、お湯を沸かしてお茶を漉すのでは、冷たいお茶等が飲みたい場合お湯を冷ましてから冷蔵庫に入れないといけないし、水出し用のお茶等を使用しても、お茶を他の容器に作りおきをし、それをペットボトルに移し変えるという手間がかかり過ぎる。自動販売機で買う場合やお茶を作りおきする場合コストがかかる。また特許文献１・２どちらもお茶やコーヒー等をティーパックに入れて使用しないと、カートリッジやホルダーから茶葉やコーヒーの粉等がペットボトル内にもれ出てしまい、飲めなくなってしまう。ティーパックに茶葉やコーヒーの粉を入れてしか使用できないので多くの作業を要する。本考案では自分の好きな茶葉を使用し香りや濃度を調節でき、また簡単な作業を行うことで茶葉などに含まれるエキスを取り出すことができるので自分好みのお茶を、手間をかけずに作れるとともにコストの削減を目的とするものである。
【課題を解決するための手段】
【０００４】  本考案は上記課題を解決するために、予めフィルターの装着された漉し器を用いて緑茶や紅茶あるいは麦茶などの物品からエキスを抽出するものにおいて、ペットボトルの口元から前記漉し器を挿入し飲料水を差し入れたりあるいは挿入されてある飲料水に漉し器の内部に入れられた緑茶や紅茶あるいは麦茶などの物品から抽出されたエキスをペットボトルの口元から前記物品が口に入らないような手段を介して漉し器上部に取り付けられる蓋で止められながら蓋上部に開けられた開口穴から挿入された飲料水を吸飲できるようにしたことを特徴とするペットボトル用漉し器。
【考案の効果】
【０００５】  本考案は上記構成からなるので以下に示す効果が期待できる。
１．漉し器にフィルターを装着することにより、簡単に細かい物品（緑茶・コーヒー等）も直接ペットボトルで抽出し飲むことができる。
２．自動販売機で多額な費用を出して購入せずに好みのお茶を簡単に作り持ち運びできるのでコストの削減になる。
３．作りおきしたお茶等を他の容器からペットボトルに移し変えるという作業が減る。
４．ペットボトルも漉し器も再利用できる。
【考案を実施するための最良の形態】
【０００６】  以下、本考案の実施形態を図面を参照して説明する。
図１から図３に示すように、漉し器１４の外周には木材パルプやケナフパルプなどの不織布やポリエチレンやポリプロピレンなどの化学繊維からなるフィルター１３が巻かれており、さらに漉し器１４はポリエチレンやポリプロピレン等の耐熱性プラスチックから作られており、その外周には複数箇の抽出口１２が設けられている。フィルター１３が装着された漉し器１４に茶葉などの物品１５を挿入し、ペットボトル１の口元３より挿入する。飲料水１１は漉し器を挿入する前に差し入れたり飲料水１１の入ったペットボトル１に漉し器１４を挿入して使用できる。この漉し器１４に収められた物品１５から抽出するエキスは抽出口１２とフィルター１３を通り飲料１１に溶け出る。茶葉などから抽出されたエキスはペットボトル１上部に設けられた吸引口７の中に入りペットボトル１の口部３から飲料者の口に運ばれる。そのとき茶葉などの物品１５が飲料者の口の中に入らないようにするために、前記の吸飲口７より下側に球体か鍋蓋のように丸く板状などからなる蓋１０が設けられている。この蓋１０が飛び出ない為に漉し器１４上部にくびれ状の形８が形成されており、またフィルター１３上部に耐熱性のシリコンゴムでできたフィルターストッパー９もくびれ状の形８にしっかりと止められるようにくびれ状の形８は二重の働きをしている。
飲料水１１は天然水や牛乳またはレモン水などで、常温や冷水またはお湯でも使用できる。
フィルター１３の網目の大きさは０．３から０．５ミリメートル程度からなるもので作られている。
【図面の簡単な説明】
【図１】ペットボトルを上から見た断面図である。
【図２】ペットボトルキャップの断面図である。
【図３】漉し器を使用したときの断面図である。
【符号の説明】
【０００７】１ペットボトル
２キャップ
３ペットボトル口部
４雄ねじ
５雌ねじ
６蓋取っ手
７吸飲口
８くびれ状の形
９フィルターストッパー
１０蓋
１１飲料
１２抽出口
１３フィルター
１４漉し器
１５物品
【図１】
0003139632.tif 000003
【図２】
0003139632.tif 000004
【図３】
0003139632.tif 000005
【手続補正書】
【提出日】平成19年10月28日(2007.10.28)
【手続補正１】
【補正対象書類名】実用新案登録請求の範囲
【補正対象項目名】全文
【補正方法】変更
【補正の内容】
【実用新案登録請求の範囲】
【請求項１】
ペットボトルに充填される飲料水にボトル内に挿入配置された漉し器の中に入れられる緑茶や紅茶あるいは麦茶などの物品からエキスを抽出されるものにおいて、該漉し器はペットボトルの口元から挿入されたのち飲料水を差し入れるかあるいは予め飲料水が入れられたのちに漉し器を挿入したりして、該漉し器の内部に入れられた緑茶や紅茶あるいは麦茶などの物品から抽出されたエキスをペットボトルの口元から前記物品が口に入らないように塞ぎ部材で止められながら塞ぎ部材上部に開けられた開口穴から流入された飲料水をボトル口元から直接吸飲できることを特徴とするペットボトル用漉し器。
【手続補正２】
【補正対象書類名】明細書
【補正対象項目名】全文
【補正方法】変更
【補正の内容】
【考案の詳細な説明】
【技術分野】
【０００１】  本考案は、ペットボトルに差し入れたりあるいは予め挿入された飲料水に緑茶や紅茶あるいは麦茶などからエキスを取り出すペットボトル用漉し器に関する。
【背景技術】
【０００２】  自宅以外でお茶等を飲む場合は、お店あるいは自動販売機で購入しなければならない。飲み終えたペットボトルは利用されずにそのまま捨てられる。また自宅で作ったお茶を持ち歩く場合にはお湯を沸かしてお茶等を漉し、それをペットボトルに移し変えて持ち歩いているのをよく見かける。
なお、関連技術に下記物件がある。
【特許文献１】登録実用新案第３１２７０８５号公報
【特許文献２】登録実用新案第３０１７５３４号公報  上記特許文献１は、上部・中胴部・中胴部カバーから成り上部には取り出し取手（１）を付け、中胴部にはお茶パック挿入口（５）を設け、はみ出し防止カバーに必要に応じて連結口に２個３個と連結し使用できる樹脂製お茶パックホルダーが記載されている。
さらに特許文献２は、ペットボトル用キャップ下方に、内部に収納部を備えた多孔性カートリッジを着脱自在に固定したことを特徴とするカートリッジ付きペットボトル用キャップが記載されていた。
【考案の開示】
【考案が解決しようとする課題】
【０００３】  以上に述べた従来の自動販売機で買う場合は、自宅で作ればそんなにお金がかからないお茶等をわざわざ多額な費用を出して購入するしかなかった。なかなか自分好みのお茶を飲むこともできなかった。さらに自分好みに合ったお茶を自宅で作って持ち歩く場合には、お湯を沸かしてお茶を漉すのでは、冷たいお茶等が飲みたい場合お湯を冷ましてから冷蔵庫に入れないといけないし、水出し用のお茶等を使用しても、お茶を他の容器に作りおきをし、それをペットボトルに移し変えるという手間がかかり過ぎる。自動販売機で買う場合やお茶を作りおきする場合コストがかかる。
特許文献１ではお茶やコーヒー等をティーパックに入れて使用しないと、ホルダーから茶葉やコーヒーの粉がペットボトル内にもれ出てしまい、そのままでは飲めなくなってしまう。そのためにティーパックに茶葉やコーヒーの粉を入れてしか使用できないので多くの作業を要する。
特許文献２でもお茶をティーパックに入れてからしか使用できないので、多くの作業が必要となる。
本考案では自分の好きな茶葉を使用し香りや濃度を調節でき、また簡単な作業で茶葉などに含まれるエキスを取り出すことができるので自分好みのお茶を、手間をかけずに簡単に作れるのでコストの低減や時間短縮などを目的とするものである。
【課題を解決するための手段】
【０００４】  本考案は上記課題を解決するために、ペットボトルに充填される飲料水にボトル内に挿入配置された漉し器の中に入れられる緑茶や紅茶あるいは麦茶などの物品からエキスを抽出されるものにおいて、該漉し器はペットボトルの口元から挿入されたのち飲料水を差し入れるかあるいは予め飲料水が入れられたのちに漉し器を挿入したりして、該漉し器の内部に入れられた緑茶や紅茶あるいは麦茶などの物品から抽出されたエキスをペットボトルの口元から前記物品が口に入らないように塞ぎ部材で止められながら塞ぎ部材上部に開けられた開口穴から流入された飲料水をボトル口元から直接吸飲できることを特徴とするペットボトル用漉し器。
【考案の効果】
【０００５】  本考案は上記構成からなるので以下に示す効果が期待できる。
１．漉し器にフィルターを装着することにより、簡単に細かい物品（緑茶・麦茶・コー      ヒー等）も直接ペットボトルでエキスを抽出し飲むことができる。
２．自動販売機で多額な費用を出して購入せずに好みのお茶を簡単に作り持ち運びでき      るのでコストの低減が図られる。
３．作りおきしたお茶等を他の容器からペットボトルに移し変えるという作業の手間が      省ける。
４．ペットボトルも漉し器も再度利用できる。
【考案を実施するための最良の形態】
【０００６】  以下、本考案の実施形態を図面を参照して説明する。
図１から図３に示すように、ペットボトル１の中には漉し器１４の外周に木材パルプやケナフパルプなどの不織布やポリエチレンやポリプロピレンなどの化学繊維からなるフィルター１３が巻かれており、該漉し器１４はポリエチレンやポリプロピレンなどの耐熱性プラスチックから作られており、その外周には複数箇の抽出口１２が設けられている。【０００７】  フィルター１３が装着された該漉し器１４には緑茶や紅茶あるいは麦茶などの物品１５が入れられるようになっている。
該漉し器１４はペットボトルの口元から挿入されたのち飲料水１１を差し入れるかあるいは予め飲料水１１が入れられたのちに該漉し器１４を挿入して使用できる。【０００８】  漉し器１４に入れられた緑茶や紅茶あるいは麦茶などの物品１５から抽出されたエキスは、該漉し器１４の抽出口１２とフィルター１３を通り飲料水１１に溶け出る。
ここでエキスが溶け出た飲料水１１は漉し器１４の物品１５が直接飲料者の口に入らなくするために球体か円盤状の塞ぎ部材１０によって塞がれ漉し器１４上部に設けられた開口穴７にいったん流入され飲料水１１をボトル口元から直接吸飲できるようになっている。
塞ぎ部材１０が飛び出ない為に漉し器１４上部にくびれ状のくぼみ８が形成されており、またフィルター１３上部に耐熱性のシリコンゴムなどからなるフィルターストッパー９はくびれ状のくぼみ８にしっかりと止められるようにくびれ状のくぼみ８は二つの働きをしている。
また飲料水１１は天然水や牛乳またはレモン水などで、常温や冷水またはお湯でも使用できる。
さらにフィルター１３の網目の大きさは０．３から０．５ミリメートル程度からなるもので作られている。
【図面の簡単な説明】
【０００９】
【図１】ペットボトルを上から見た断面図である。
【図２】ペットボトルキャップの断面図である。
【図３】漉し器を使用したときの断面図である。
【符号の説明】
【００１０】１ペットボトル
２キャップ
３ペットボトル口部
４雄ねじ
５雌ねじ
６塞ぎ部材取っ手
７開口穴
８くびれ状のくぼみ
９フィルターストッパー
１０塞ぎ部材
１１飲料
１２抽出口
１３フィルター
１４漉し器
１５物品